(57)【要約】【課題】  ネット袋の脱着交換を容易に行うことができるグリーストラップの塵回収装置を提供する。【解決手段】  本体フレーム１１と、ネット袋６０とを備える。本体フレーム１１は、設置面５に設置可能な下板１２と、下板１２の前端部から上方に向けて立ち上がる前板１３とを備える。前板１３には、その中央部に排水に対応する開口孔が形成ると共に、前板１３の前面には、開口孔の両側部に位置して両側板３１が一体状に設けられる。両側板３１には、ネット袋６０を剛性を有するネット保持体４０を介して着脱可能に保持するための上方に開口する保持部３３、３５が設けられる。一方、ネット保持体４０は、保持部３３、３５の上方から着脱可能に差し込込まれて係止する係止部４７、４８と、ネット袋６０を着脱可能に保持するネット保持部４２とを有している。【選択図】        図３
2007239293.tif 000002
【特許請求の範囲】
【請求項１】
グリーストラップにおける排水浄化槽の排水受入部の近傍に設けられた設置面に設置されるグリーストラップの塵回収装置であって、
本体フレームと、同本体フレームに組み付けられかつ排水に含まれた塵類を回収して前記排水を前記排水受入部に放出するためのネット袋とを備え、
前記本体フレームは、前記設置面に設置可能な下板と、同下板の前端部から上方に向けて立ち上がる前板とを備え、
前記前板には、その中央部に排水に対応する開口孔が形成ると共に、前記前板の前面には、前記開口孔の両側部に位置して両側板が一体状に設けられ、
前記両側板には、前記ネット袋を剛性を有するネット保持体を介して着脱可能に保持するための上方に開口する保持部が設けられる一方、
前記ネット保持体は、前記保持部の上方から着脱可能に差し込込まれて係止する係止部と、前記ネット袋を着脱可能に保持するネット保持部とを有していることを特徴とするグリーストラップの塵回収装置。
【請求項２】
請求項１に記載のグリーストラップの塵回収装置であって、
本体フレームの左右両側部のうち、少なくとも片側には、グリーストラップの設置面の側壁に向けて張り出し可能な調整フレームが左右方向に移動調整可能に組み付けられていることを特徴とするグリーストラップの塵回収装置。
【請求項３】
請求項１又は２に記載のグリーストラップの塵回収装置であって、
本体フレームの下部には、前方に向けて突出した状態でネット袋の下面を受けるネット受け部材が設けられていることを特徴とするグリーストラップの塵回収装置。
【請求項４】
請求項３に記載のグリーストラップの塵回収装置であって、
ネット受け部材は、ネット袋の下面を受けかつ通水性を有する受け板を有し、
前記受け板の下方には、排水に含まれた油脂分を吸着する油脂吸着マットが設けれれていることを特徴とするグリーストラップの塵回収装置。
【発明の詳細な説明】
【技術分野】
【０００１】
この発明は、主として業務用厨房の床下に設置されるグリーストラップにおいて、その排水浄化槽の排水受入部の近傍に設けられた設置面に設置される塵回収装置に関する。
【背景技術】
【０００２】
従来、この種のグリーストラップの塵回収装置としては、例えば、特許文献１に開示されたものが知られている。
これにおいては、本体フレーム（装置本体）に設けられた筒状のネット装着部に面ファスナによってネット袋が着脱可能に装着され、本体フレームの所定位置に装置全体を持ち上げるための取手が形成されている。
【特許文献１】特開２００６−２９０４７号公報
【発明の開示】
【発明が解決しようとする課題】
【０００３】
ところで、前記従来のものにおいては、ネット袋を脱着交換する場合、グリーストラップの設置面から装置全体を取手によって持ち上げて作業場所まで運んだ後、本体フレームのネット装着部に対しネット袋を脱着交換してから、装置全体を持ち上げて、再びグリーストラップの設置面に設置しなければならない。このため、ネット袋の脱着交換が厄介であった。
【０００４】
この発明の目的は、前記問題点に鑑み、ネット袋の脱着交換を容易に行うことができるグリーストラップの塵回収装置を提供することである。
【課題を解決するための手段】
【０００５】
前記目的を達成するために、この発明の請求項１に係るグリーストラップの塵回収装置は、グリーストラップにおける排水浄化槽の排水受入部の近傍に設けられた設置面に設置されるグリーストラップの塵回収装置であって、
本体フレームと、同本体フレームに組み付けられかつ排水に含まれた塵類を回収して前記排水を前記排水受入部に放出するためのネット袋とを備え、
前記本体フレームは、前記設置面に設置可能な下板と、同下板の前端部から上方に向けて立ち上がる前板とを備え、
前記前板には、その中央部に排水に対応する開口孔が形成ると共に、前記前板の前面には、前記開口孔の両側部に位置して両側板が一体状に設けられ、
前記両側板には、前記ネット袋を剛性を有するネット保持体を介して着脱可能に保持するための上方に開口する保持部が設けられる一方、
前記ネット保持体は、前記保持部の上方から着脱可能に差し込込まれて係止する係止部と、前記ネット袋を着脱可能に保持するネット保持部とを有していることを特徴とする。
【０００６】
前記構成によると、グリーストラップの設置面に塵回収装置が設置された状態において、排水は、塵回収装置のネット袋を通ってグリーストラップの排水浄化槽の排水受入部に放出される。また、排水に含まれた塵類は、ネット袋の袋内に回収される。
また、塵回収装置のネット袋を脱着交換する場合、本体フレームの保持部に対し、ネット保持体と共にネット袋が上方に持ち上げられることによって、ネット保持体と共にネット袋が取り外される。そして、ネット保持体と共に、ネット袋が作業場所まで運ばれ、ここで、ネット保持体のネット保持部に対しネット袋が脱着交換される。
その後、本体フレームの保持部の上方から、ネット保持体の係止部が差し込込まれて係合されることによって、本体フレームの保持部に、ネット保持体と共にネット袋が装着され、これによって、本体フレームに対するネット袋の脱着交換が完了する。
したがって、請求項１に係る発明によれば、従来の装置全体を作業場所まで運んでネット袋を脱着交換するものと比べ、ネット袋の脱着交換を容易に行うことができる。
【０００７】
請求項２に係るグリーストラップの塵回収装置は、請求項１に記載のグリーストラップの塵回収装置であって、
本体フレームの左右両側部のうち、少なくとも片側には、グリーストラップの設置面の側壁に向けて張り出し可能な調整フレームが左右方向に移動調整可能に組み付けられていることを特徴とする。
【０００８】
前記構成によると、グリーストラップの設置面の相対する側壁間の距離が大小異なる場合においても、その側壁に当接する位置まで本体フレームに対し、調整フレームが左右方向に移動調整されることで、グリーストラップの設置面に塵回収装置を良好に設置（固定）することができる。
【０００９】
請求項３に係るグリーストラップの塵回収装置は、請求項１又は２に記載のグリーストラップの塵回収装置であって、
本体フレームの下部には、前方に向けて突出した状態でネット袋の下面を受けるネット受け部材が設けられていることを特徴とする。
【００１０】
前記構成によると、ネット袋の下面をネット受け部材によって受けることができ、ネット袋の袋内に回収された塵類の荷重によってネット袋が破損されることを防止することができる。
【００１１】
請求項４に係るグリーストラップの塵回収装置は、請求項３に記載のグリーストラップの塵回収装置であって、
ネット受け部材は、ネット袋の下面を受けかつ通水性を有する受け板を有し、
前記受け板の下方には、排水に含まれた油脂分を吸着する油脂吸着マットが設けれていることを特徴とする。
【００１２】
前記構成によると、排水に含まれた塵類がネット袋の袋内に回収された後、ネット袋を通過した排水は、ネット受け部材の通水性を有する受け板を通過した後、油脂吸着マットを通して排水浄化槽の排水受入部に放出される。このため、排水に含まれた油脂が油脂吸着マットに吸着される分だけ排水浄化槽の排水受入部に放出される油脂を軽減することができる。
【発明を実施するための最良の形態】
【００１３】
次に、この発明を実施するための最良の形態を実施例にしたがって説明する。
【実施例１】
【００１４】
図１はこの発明の実施例１に係るグリーストラップの設置面に塵回収装置が設置された状態を簡略化して示す側断面図である。図２はグリーストラップの設置面に塵回収装置が設置された状態を簡略化して示す正面図である。図３は本体フレームに調整フレームとネット受け部材とがそれぞれ組み付けられた状態を示す斜視図である。図４は塵回収装置の本体フレームと調整フレームとが分離されかつネット受け部材が取り外された状態を示す斜視図である。図５は本体フレームの保持部にネット保持体の係止部が係止された状態を拡大して示す平断面図である。図６はネット保持体とネット袋とが分離された状態を示す斜視図である。図７は本体フレーム、ネット受け部材及びマット受け皿との関係を示す側面図である。図８はネット受け部材とマット受け皿との関係を示す正断面図である。
【００１５】
図１と図２に示すように、業務用厨房の排水路１に流される排水を浄化して下水路に流すためのグリーストラップ２において、各種浄化システム（図示しない）が設置される排水浄化槽３の上部には段差部４が設けられ、排水浄化槽３の排水受入部の近傍に位置する段差部４の段差面を設置面５として塵回収装置１０が設置される。なお、図１と図２において、符号、７は、グリーストラップ２の開閉蓋である。
【００１６】
図３と図４に示すように、塵回収装置１０は、本体フレーム１１と、本体フレーム１１に組み付けられかつ排水に含まれた塵類を回収して排水を排水浄化槽３の排水受入部に放出するためのネット袋６０とを備えている。
本体フレーム１１は、設置面５に設置可能な下板１２と、下板１２の前端部から上方に向けて立ち上がる前板１３とを備えて略Ｌ字状に形成されている。
また、本体フレーム１１の左右両側部のうち、少なくとも片側（この実施例１においては両側）には、グリーストラップ２の設置面５の相対する側壁６に向けて張り出し可能で下板２２と前板２３とを有して略Ｌ字状に形成された左右の両調整フレーム２１が左右方向に移動調整可能に組み付けられるようになっている。
左右の両調整フレーム２１の左右外側下部には前方に向けて延出されかつ設置面５に当接して塵回収装置１０の前倒れを防止する倒れ防止片２６が一体に形成されている。
【００１７】
この実施例１において、図３と図４に示すように、本体フレーム１１の下板１２の後縁には、調整フレーム２１の下板２２の後縁部が左右（幅方向）方向に摺動可能に差し込まれる摺動溝を有する先端折返し片１４が調整フレーム２１の下板２２の後縁部の下面から上面に向けて折返し状に形成されている。
また、本体フレーム１１の前板１３の上端には、後方に向けて逆Ｌ字状に折り返された上縁部１６が形成され、その上縁部１６には、調整フレーム２１の前板２３の上端に後方に向けて逆Ｌ字状に折り返された上縁部２４が左右（幅方向）方向に摺動可能に差し込まれる摺動溝を有する折返し片１７が上方に向けて折返し状に形成されている。
【００１８】
図３と図４に示すように、本体フレーム１１と調整フレーム２１の各部材のうち、一方部材の上縁部には、左右方向の長孔２４が形成され、他方の部材の上縁部にはボルト挿通孔（丸孔）１９が形成されている。そして、各部材の長孔２４及びボルト挿通孔１９を通して締付ボルト２９を挿通し、これら締付ボルト２９のねじ部に蝶ナット２０を締め付けることによって、本体フレーム１１に対し調整フレーム２１が長孔２４の範囲内において左右方向に移動調整可能に固定されるようになっている。
なお、この実施例１においては、本体フレーム１１の前板１３の上縁部１６及び折返し片１７が塵回収装置１０全体を持ち運ぶための取手としても機能するようになっている。
【００１９】
図３〜図５に示すように、前板１３には、その中央部に排水に対応する開口孔１３ａが形成ると共に、前板１３の前面には、開口孔１３ａの両側部に位置して両側板３１が前方に向けて一体状に設けられると共に、開口孔１３ａの下縁には排水をネット袋６０の袋内に誘導するための誘導板１８が前方に向けて突出されている。
前板１３の両側板３１の先端部は、左右に張り出された状態でそれぞれ折り曲げられ、これら折り曲げ部３１ａの先端部には、ネット袋６０を剛性を有するネット保持体４０を介して着脱可能に保持するための上下の両保持部３３、３５が前方に向けて折り曲げ形成されている。そして、これら上下の両保持部３３、３５には上方に開口する切り欠き状の保持溝３４、３６がそれぞれ形成されている。
【００２０】
また、図３と図４に示すように、本体フレーム１１の前板１３の前面の両上角部には、グリーストラップ２の設置面５の側壁６から必要に応じて突出されるアンカーボルト（図示しない）に対応するボルト挿通孔を有する固定片２７が設けられている。
【００２１】
図５と図６に示すように、ネット保持体４０は、本体フレーム１１の上下の両保持部３３、３５の上方から着脱可能に差し込込まれて係止される上下の両係止部４７、４８と、ネット袋６０を着脱可能に保持するネット保持部４２とを有している。
この実施例１において、ネット保持体４０は、四角形状の排水用通過孔４１を取り囲む上枠部４３、左右の両側枠部４６及び下枠部５１を有して方形枠状に形成され、その左右の両側枠部４６の外側部に上下の両係止部４７、４８が張り出し状に形成されている。
また、上枠部４３は、左右の両側枠部４６の上縁部に跨って前方に突出されると共に、その上枠部４３には、次に述べるネット袋６０のフランジ６１が脱抜可能に差し込まれる差込口４４が切り欠き状に形成されている。また、上枠部４３の先端部には、ネット保持部４２を持ち運ぶための取手４０ａが下方に向けて屈曲形成されている。
【００２２】
ネット保持体４０の左右の両側枠部４６の外側部には、前面に向けて折り曲げられ、かつネット袋６０のフランジ６１の左右両側縁が脱抜可能に差し込まれる差込溝５０を有する保持片４９が形成されている。また、ネット保持体４０の下枠部５１の下端縁には、前面に向けて折り曲げられ、かつネット袋６０のフランジ６１の下端縁が脱抜可能に差し込まれる差込溝５３を有する下保持片５２が形成されている。
図６に示すように、ネット袋６０は、通水性及び伸縮性を有するネットによって一側が開口する袋状に形成され、その開口部には厚紙等を剛性を有する四角枠状のフランジ６１がミシン縫い等によって装着されている。
【００２３】
図３、図７及び図８に示すように、本体フレーム１１の下側の保持部３５の下部には、ネット受け部材７０が装着されている。このネット受け部材７０は、前方に向けて突出した状態でネット袋６０の下面を受けるかつ多数個の通水孔７２が貫設されて通水性を有する受け板７１と、この受け板７１の左右両側部から下方に向けて直角に折り曲げられた両側板７３を有している。
そして、図７に示すように、ネット受け部材７０は、その両側板７３の後端部において、ねじ７５によって回動可能に取り付けられると共に、受け板７１が所定の傾斜角をもって前方に突出しかつネット袋６０の下面を受ける受け位置と、ねじ７５を緩めた状態でねじ７５を中心として回動操作されることで、本体フレーム１１の前板１３に沿って起立される起立位置とに配置切換されるようになっている。また、受け板７１には、本体フレーム１１の前板１３の誘導板１８との干渉を避けるために誘導板１８が挿通可能なスリット孔７６が貫設されている。
また、図８に示すように、ネット受け部材７０の両側板７３の下端には、次に述べる油脂吸着マット９０を押えるための押え片７４が内側に向けて直角状に折り曲げ形成されている。
【００２４】
図７と図８に示すように、ネット受け部材７０の下方には、排水に含まれた油脂分を吸着する油脂吸着マットが脱着交換可能に設置されるマット受け皿８０が組み付けられている。
マット受け皿８０は、底板８１と両側板８２を備え、その両側板８２の後端部がネット受け部材７０の両側板７３の後端部に取付ねじ８５によって回動可能に取り付けられている。
さらに、マット受け皿８０の両側板８２の前側部が取付ねじ８５を中心とする円弧状の長孔８６と締付ねじ８７によって所定の範囲において開閉可能に締め付けられている。そして、締付ねじ８７を緩めてマット受け皿８０を取付ねじ８５を中心として開いた状態でマット受け皿８０の底板８１上に油脂吸着マット９０がセットされ、その後、元の状態に閉じられ締付ねじ８７が締め付けられることによって、マット受け皿８０の底板８１とネット受け部材７０の押え板７４との間に油脂吸着マット９０が挟持されて保持されるようになっている。
【００２５】
なお、本体フレーム（両側板３１を含む）１１、調整フレーム２１、ネット保持体４０、ネット受け部材７０及びマット受け皿８０は、耐腐食性及び剛性を有する金属板（例えば、ステンレス板）によってそれぞれ形成されることが望ましい。
【００２６】
この実施例１に係るグリーストラップ２の塵回収装置１０は上述したように構成される。
したがって、グリーストラップ２の設置面５に塵回収装置１０を設置する場合、設置面５上に本体フレーム１１の下板１２を載置した後、蝶ナット２０を緩めた状態で左右の両調整フレーム２１の端部が設置面５の相対する側壁６に当接する位置まで左右方向に移動調整する。その後、蝶ナット２０を締め付けて本体フレーム１１に対し左右の両調整フレーム２１を固定することによって設置面５に塵回収装置１０を設置する。
また、塵回収装置１０を強固に固定する必要がある場合には、設置面５の相対する側壁６からアンカーボルト（図示しない）を突出し、そのアンカーボルトを本体フレーム１１の前板１３に取り付けられた固定片２７に挿通してナットによって締め付けることによって、塵回収装置１０を強固に固定することができる。
【００２７】
前記したように、グリーストラップ２の設置面５に塵回収装置１０を設置した状態において、排水路１を流れる排水は、塵回収装置１０のネット袋６０を通過する。この際、排水に含まれた塵類は、ネット袋６０の袋内に回収される。
ネット袋６０を通過した排水は、ネット受け部材７０の受け板７１の通水孔７２から油脂吸着マット９０を通過して排水に含まれる油脂分が吸着された後、グリーストラップ２の排水浄化槽３の排水受入部に放出される。そして、排水浄化槽３において浄化されて下水路に排出される。
【００２８】
さて、塵回収装置１０のネット袋６０を脱着交換する場合、本体フレーム１１の上下の両保持部３３、３５に対し、ネット保持体４０と共にネット袋６０が上方に持ち上げられることによって、ネット保持体４０の上下の両係止部４７、４８が外れ、これによってネット保持体４０と共にネット袋６０が取り外される。そして、ネット保持体４０と共に、ネット袋６０が作業場所まで運ばれる。ここで、ネット袋６０がそのフランジ６１においてネット保持体４０のネット保持部４２の差込口４４から抜き取られ、その後、新たなネット袋６０が差し込まれることによって、ネット袋６０が脱着交換される。
その後、本体フレーム１１の上下の両保持部３３、３５の上方から、ネット保持体４０の上下の両係止部４７、４８が差し込込まれて係止されることによって、本体フレーム１１の上下の両保持部３３、３５に、ネット保持体４０と共に、ネット袋６０が装着され、これによって、本体フレーム１１に対するネット袋６０の脱着交換が完了する。
したがって、従来の装置全体を作業場所まで運んでネット袋６０を脱着交換するものと比べ、ネット袋６０の脱着交換を容易に行うことができる。
【００２９】
また、この実施例１において、本体フレーム１１の左右両側部のうち、少なくとも片側（この実施例１では両側）には、グリーストラップ２の設置面５の側壁６に向けて張り出し可能な調整フレーム２１が左右方向に移動調整可能に組み付けられている。
このため、本体フレーム１１に対し、調整フレーム２１が左右方向に移動調整されることで、グリーストラップ２の設置面５の相対する側壁６間の距離が大小異なる場合においても、グリーストラップ２の設置面５に良好に設置することができる。
また、本体フレーム１１に対し、調整フレーム２１を移動調整する場合には、蝶ナット２０を緩めた状態で、本体フレーム１１に対し調整フレーム２１を左右方向に摺動することによって容易に行うことができる。
【００３０】
また、この実施例１において、本体フレーム１１の下部には、前方に向けて突出した状態でネット袋６０の下面を受けるネット受け部材７０が設けられている。このため、ネット袋６０の下面をネット受け部材７０によって受けることができ、ネット袋６０の袋内に回収された塵類の荷重によってネット袋６０が破損されることを防止することができる。
【００３１】
また、この実施例１において、ネット受け部材７０は、ネット袋６０の下面を受けかつ多数個の通水孔７２によって通水性を有する受け板７１を有し、この受け板７１の下方には、排水に含まれた油脂分を吸着する油脂吸着マット９０が設けれている。
したがって、排水に含まれた塵類がネット袋６０の袋内に回収された後、ネット袋６０を通過した排水は、ネット受け部材７０の通水性を有する受け板７１を通過した後、油脂吸着マット９０を通して排水浄化槽３の排水受入部に放出される。このため、排水に含まれた油脂が油脂吸着マット９０に吸着される分だけ排水浄化槽３の排水受入部に放出される油脂分を軽減することができる。
【００３２】
また、この実施例１において、ネット受け部材（油脂吸着マット９０及びマット受け皿８０を含む）７０は、ネット袋６０の下面を受ける受け位置と、ねじを緩めた状態でねじを中心として回動操作されることで、本体フレーム１１の前板１３に沿って起立される起立位置とに配置切換されるようになっている。このため、排水浄化槽３を保守点検する場合において、ネット受け部材７０が起立位置に配置切換されることで保守点検作業の妨害物となることを軽減することができる。
【実施例２】
【００３３】
次に、この発明の実施例２を図９と図１０にしたがって説明する。
図９はこの発明の実施例２に係るネット保持体を示す斜視図である。図１０はネット保持体を示す縦断面図である。
図９と図１０に示すように、ネット保持体１４０は、方形板状の組付板１４２を有し、その両側縁の上下部には、本体フレーム（図３参照）１１の上下の両保持部３３、３５の上方から着脱可能に差し込込まれて係止される上下の係止部１４４、１４５が張り出し状に形成されている。
また、組付板１４２の上縁部には、ネット保持体１４０を持ち運ぶための取手１４０ａが形成されている。
【００３４】
組付板１４２の中央部には円形の排水用通過孔１４１が貫設されると共に、組付板１４２の前面には、その排水用通過孔１４１の周縁部に沿って筒状をなしかつ排水用通過孔１４１に連通する内孔１４６ａを有するネット保持部１４６が突設されている。
ネット保持部１４６の筒方向の中央部外周面にはネット袋１５０の開口部近傍を締め付けるための締付溝１４７が環状に凹設され、その締付溝１４７の底面には緩み防止用の弾性体（ゴム板）１４８が貼り付けられている。
ネット袋１５０は、通水性及び伸縮性を有するネットによって一側が開口する袋状に形成されている。そして、ネット袋１５０は、その開口部を拡開させてネット保持部１４６の締付溝１４７を越える位置まで挿入した後、締付溝１４７の部分において締付バンド１４９によって着脱可能に締め付けることによって強固に装着されるようになっている。
この実施例２のその他の構成は実施例１と同様に構成されるため、その説明は省略する。
したがって、この実施例２のネット保持体１４０を用いることによって実施例１と同様の作用効果を奏する。
また、ネット袋１５０は、既存のネット袋、ストッキング等を用いることも可能であり、既存のネット袋、ストッキング等を用いることで、コスト低減を図ることができる。
【００３５】
なお、この発明は前記実施例１及び２に限定されるものではない。
例えば、前記実施例１においては、本体フレーム１１の下部に、前方に向けて突出した状態でネット袋６０の下面を受けるネット受け部材７０が設けられ、このネット受け部材７０の下方に、排水に含まれた油脂分を吸着する油脂吸着マット９０が設けれる場合を例示したが、ネット受け部材７０や油脂吸着マット９０がない場合においてもこの発明を実施することができる。
【図面の簡単な説明】
【００３６】
【図１】この発明の実施例１に係るグリーストラップの設置面に塵回収装置が設置された状態を簡略化して示す側断面図である。
【図２】同じくグリーストラップの設置面に塵回収装置が設置された状態を簡略化して示す正面図である。
【図３】同じく本体フレームに調整フレームとネット受け部材とがそれぞれ組み付けられた状態を示す斜視図である。
【図４】同じく塵回収装置の本体フレームと調整フレームとが分離されかつネット受け部材が取り外された状態を示す斜視図である。
【図５】同じく本体フレームの保持部にネット保持体の係止部が係止された状態を拡大して示す平断面図である。
【図６】同じくネット保持体とネット袋とが分離された状態を示す斜視図である。
【図７】同じく本体フレーム、ネット受け部材及びマット受け皿との関係を示す側面図である。
【図８】同じくネット受け部材とマット受け皿との関係を示す正断面図である。
【図９】この発明の実施例２に係るネット保持体を示す斜視図である。
【図１０】同じくネット保持体を示す縦断面図である。
【符号の説明】
【００３７】
１  排水路
２  グリーストラップ
３  排水浄化槽
５  設置面
６  側壁
１０  塵回収装置
１１  本体フレーム
２１  調整フレーム
４０  ネット保持体
４２  ネット保持部
４７、４８  係止部
７０  ネット受け部材
８０  マット受け皿
９０  油脂吸着マット
【図１】
2007239293.tif 000003
【図２】
2007239293.tif 000004
【図３】
2007239293.tif 000005
【図４】
2007239293.tif 000006
【図５】
2007239293.tif 000007
【図６】
2007239293.tif 000008
【図７】
2007239293.tif 000009
【図８】
2007239293.tif 000010
【図９】
2007239293.tif 000011
【図１０】
2007239293.tif 000012